【手続補正書】
【提出日】平成30年8月9日(2018.8.9)
【手続補正１】
【補正対象書類名】特許請求の範囲
【補正対象項目名】全文
【補正方法】変更
【補正の内容】
【特許請求の範囲】
【請求項１】
シングルサーブ用飲料形成装置であって、
ポンプと、
前記ポンプに接続された飲料ヘッドと、を有し、
前記飲料ヘッドは、受け部と、前記飲料ヘッドに接続された入口ノズルと、前記飲料ヘッドに接続された出口導管を含み、
前記受け部は、前記飲料ヘッドが第１の位置にあるとき、密封容器を前記飲料ヘッドの受け部内に選択的に受入れるように構成され、密封容器は、外面と内容積部を含み、或る量の飲料媒体を内容積部内に収容するように構成され、
前記入口ノズルは、前記飲料ヘッドが第２の位置にあるとき、密封容器の外面を貫通して前記入口ノズルの少なくとも一部分を密封容器の内容積部に接続するように構成され、
前記ポンプは、前記飲料ヘッドが第２の位置にある間、少なくとも第１の流体を、前記飲料ヘッドの受け部内の密封容器の内容積部内の或る量の飲料媒体に前記入口ノズルを通して送出するように構成され、それにより、前記シングルサーブ用飲料形成装置の作動中、少なくとも第１の流体の少なくとも一部分と、或る量の飲料媒体の少なくとも一部分とを含む少なくとも第２の流体が形成され、
前記受け部は、前記飲料ヘッドが第２の位置にある間、密封容器を前記シングルサーブ用飲料装置に対して実質的に静止させたままにするように構成され、
前記出口導管は、飲料媒体の密封容器の内容積部に接続され、第２の流体の少なくとも一部分を前記飲料ヘッドの外部の容器に差し向けるように構成され、
前記入口ノズルは、密封容器の外面を貫通して密封容器の内容積部に接続されている間、飲料媒体に対して選択的に回転するように構成され、少なくとも第１の流体が密封容器の内容積部に送出されている時間の少なくとも一部分にわたって選択的に回転するように構成される、シングルサーブ用飲料形成装置。
【請求項２】
前記入口ノズルが密封容器の外面を貫通して密封容器の内容積部に接触している間、前記入口ノズルは、選択的に振動するように構成され、前記入口ノズルの選択的な振動は、少なくとも第１の流体が密封容器の内容積部に送出されている時間の少なくとも一部分にわたって起こる、請求項１に記載のシングルサーブ用飲料形成装置。
【請求項３】
前記入口ノズルの回転は、１よりも多い回転方向の回転運動を含む、請求項１に記載のシングルサーブ用飲料形成装置。
【請求項４】
更に、前記入口ノズルに接続されたコントローラを有し、前記コントローラは、前記入口ノズルが密封容器の外面を貫通して密封容器の内容積部と接触している間、前記入口ノズルの回転速度を変化させるように構成され、少なくとも第１の流体が密封容器の内容積部に前記少なくとも１つの流れポートを介して送出されるとき、前記入口ノズルの回転速度を変化させるように構成される、請求項１に記載のシングルサーブ用飲料形成装置。
【請求項５】
シングルサーブ用飲料形成装置であって、
ポンプと、
前記ポンプ接続された飲料ヘッドと、を有し、
前記飲料ヘッドは、受け部と、前記飲料ヘッドに接続された入口ノズルと、前記飲料ヘッドに接続された出口導管を含み、
前記受け部は、前記飲料ヘッドが第１の位置にあるとき、密封容器を前記飲料ヘッドの受け部内に選択的に受入れるように構成され、密封容器は、外面と内容積部を含み、或る量の飲料媒体を内容積部内に収容するように構成され、
前記入口ノズルは、前記飲料ヘッドが第２の位置にあるとき、密封容器の外面を貫通して前記入口ノズルの少なくとも一部分を密封容器の内容積部に接続するように構成され、
前記ポンプは、前記飲料ヘッドが第２の位置にある間、少なくとも第１の流体を、前記飲料ヘッドの受け部内の密封容器の内容積部内の或る量の飲料媒体に前記入口ノズルを通して送出するように構成され、それにより、前記シングルサーブ用飲料形成装置の作動中、少なくとも第１の流体の少なくとも一部分と、或る量の飲料媒体の少なくとも一部分とを含む少なくとも第２の流体が形成され、
前記受け部は、前記飲料ヘッドが第２の位置にある間、密封容器を前記シングルサーブ用飲料装置に対して実質的に静止させたままにするように構成され、
前記出口導管は、飲料媒体の密封容器の内容積部に接続され、第２の流体の少なくとも一部分を前記飲料ヘッドの外部の容器に差し向けるように構成され、
前記入口ノズルは、密封容器の外面を貫通して密封容器の内容積部に接続されている間、飲料媒体に対して選択的に移動するように構成され、少なくとも第１の流体が密封容器の内容積部に送出されている時間の少なくとも一部分にわたって選択的に移動するように構成される、シングルサーブ用飲料形成装置。
【請求項６】
前記入口ノズルが密封容器の外面を貫通して密封容器の内容積部に接触している間、前記入口ノズルは、選択的に運動するように構成され、前記入口ノズルの選択的な運動は、選択的な回転運動、選択的な振動運動、及び選択的な傾斜運動のうちの少なくとも１つを含み、少なくとも第１の流体が密封容器の内容積部に前記少なくとも１つの流れポートを介して送出されている時間の少なくとも一部分にわたって起こる、請求項５に記載のシングルサーブ用飲料形成装置。
【請求項７】
前記入口ノズルの選択的な運動は、１よりも多い回転方向の回転運動を含む、請求項５に記載のシングルサーブ用飲料形成装置。
【請求項８】
前記入口ノズルは、更に、密封容器の外面に接続された外側シャフトと、前記外側シャフトに対して回転する内側プラットフォームを含む、請求項１又は５に記載のシングルサーブ用飲料形成装置。
【請求項９】
前記入口ノズルは、更に、少なくとも１つの流れポートを含み、前記流れポートは、少なくとも１つの第２の流体の形成を支援するように構成される、請求項１又は５に記載のシングルサーブ用飲料作成する装置。
【請求項１０】
前記入口ノズルは、更に、少なくとも１つのチャネルを含み、前記チャネルは、前記入口ノズルが飲料容器の内部チャンバに接続されているとき、少なくとも第１の流体を差し向けるように構成される、請求項１又は５に記載のシングルサーブ用飲料形成装置。
【請求項１１】
前記入口ノズルは、更に、少なくとも１つの鋸歯状部を含む、請求項１又は５に記載のシングルサーブ用飲料形成装置。
【請求項１２】
更に、前記入口ノズルに接続されたコントローラを有し、前記コントローラは、前記入口ノズルが密封容器の外面を貫通して密封容器の内容積部と接触している間、前記入口ノズルの選択的な運動を変化させるように構成され、少なくとも第１の流体が密封容器の内容積部に前記少なくとも１つの流れポートを介して送出されている時間の少なくとも一部分にわたって、前記入口ノズルの選択的な運動を変化させるように構成される、請求項５に記載のシングルサーブ用飲料形成装置。
【請求項１３】
シングルサーブ用飲料形成装置であって、
ポンプと、
前記ポンプ接続された飲料ヘッドと、を有し、
前記飲料ヘッドは、受け部と、前記飲料ヘッドに接続された入口ノズルと、前記飲料ヘッドに接続された出口導管を含み、
前記受け部は、前記飲料ヘッドが第１の位置にあるとき、密封容器を前記飲料ヘッドの受け部内に選択的に受入れるように構成され、密封容器は、外面と内容積部を含み、或る量の飲料媒体を内容積部内に収容するように構成され、
前記入口ノズルは、前記飲料ヘッドが第２の位置にあるとき、密封容器の外面を貫通して前記入口ノズルの少なくとも一部分を密封容器の内容積部に接続するように構成され、
前記ポンプは、前記飲料ヘッドが第２の位置にある間、少なくとも第１の流体を、前記飲料ヘッドの受け部内の密封容器の内容積部内の或る量の飲料媒体に前記入口ノズルを通して送出するように構成され、それにより、前記シングルサーブ用飲料形成装置の作動中、少なくとも第１の流体の少なくとも一部分と、或る量の飲料媒体の少なくとも一部分とを含む少なくとも第２の流体が形成され、
前記受け部は、前記飲料ヘッドが第２の位置にある間、密封容器を前記シングルサーブ用飲料装置に対して実質的に静止させたままにするように構成され、
前記出口導管は、飲料媒体の密封容器の内容積部に接続され、第２の流体の少なくとも一部分を前記飲料ヘッドの外部の容器に差し向けるように構成され、
前記ポンプは、少なくとも第１の流体を前記少なくとも１つの流れポートに選択的に供給するように構成され、それにより、前記入口ノズルが密封容器の外面を貫通して密封容器の内容積部に接続されている間、及び、前記飲料ヘッドが第２の位置にある時間の少なくとも一部分にわたって少なくとも第１の流体が密封容器の内容積部に送出されている時間の少なくとも一部分にわたって、前記少なくとも１つの流れポートは、飲料媒体と接触しながら選択的に活性化される、シングルサーブ用飲料形成装置。
【請求項１４】
前記ポンプは、前記少なくとも１つの流れポートを通る少なくとも第１の流体を脈動させるように可変的に作動される、請求項１３に記載のシングルサーブ用飲料形成装置。
【請求項１５】
前記入口ノズルが密封容器の外面を貫通して密封容器の内容積部に接触している間、前記入口ノズルは、選択的に運動するように構成され、前記入口ノズルの選択的な運動は、選択的な回転運動、選択的な振動運動、及び選択的な傾斜運動のうちの少なくとも１つを含み、少なくとも第１の流体が密封容器の内容積部に前記少なくとも１つの流れポートを介して送出されているときに起こるように構成される、請求項１３に記載のシングルサーブ用飲料形成装置。
【請求項１６】
更に、前記入口ノズルに接続されたコントローラを有し、前記コントローラは、前記入口ノズルが密封容器の外面を貫通して密封容器の内容積部と接触している間、前記入口ノズルの選択的な運動を変化させるように構成され、少なくとも第１の流体が密封容器の内容積部に前記少なくとも１つの流れポートを介して送出されているとき、前記入口ノズルの選択的な運動を変化させる、請求項１３に記載のシングルサーブ用飲料形成装置。
【請求項１７】
装置であって、
ポンプと、
前記ポンプに接続された受け部と、
前記受け部と前記ポンプとの間に接続された入口ノズルと、
前記受け部に接続された出口導管と、を有し、
前記受け部は、スラリーを選択的に受入れるように構成され、
前記ポンプは、少なくとも第１の溶媒を前記受け部内のスラリーに前記入口ノズルを通して送出するように構成され、それにより、少なくとも第１の溶媒の少なくとも一部分と、スラリーからの少なくとも１つの溶質とを含む少なくとも１つの溶液が形成され、
前記出口導管は、溶液の少なくとも一部分を前記受け部の外部に差し向けるように構成され、
前記入口ノズルは、少なくとも第１の溶媒をスラリーに送出して少なくとも１つの溶質を含む溶液を浸出させている間、選択的に運動するように構成される、装置。
【請求項１８】
前記入口ノズルは、少なくとも第１の溶媒をスラリーに送出している間、選択的に回転するか、選択的に振動するか、又は、複数の方向に選択的に回転するように構成される、請求項１７に記載の装置。
【請求項１９】
前記入口ノズルは、更に、外側シャフトと、内側プラットフォームを含む、請求項１７に記載の装置。
【請求項２０】
前記入口ノズルは、更に、少なくとも１つの流れポートを含み、前記流れポートは、少なくとも１つの溶液の形成を支援するように構成される、請求項１７に記載の装置。
【請求項２１】
前記入口ノズルは、更に、少なくとも１つのチャネルを含み、前記チャネルは、少なくとも１つの溶質の抽出を制御するために、少なくとも第１の溶媒をスラリーと接触するように選択的に差し向けるように構成される、請求項１７に記載の装置。
【請求項２２】
前記入口ノズルは、更に、少なくとも１つの鋸歯状部を含む、請求項１７に記載の装置。
【請求項２３】
更に、前記入口ノズルに接続されたコントローラを有し、前記コントローラは、前記入口ノズルの運動を、スラリーの運動に影響を与えるように変化させるように構成される、請求項１７に記載の装置。
【請求項２４】
溶液の形成方法であって、
受け部を含む飲料ヘッドを、第１の位置にあるときに密封容器を選択的に受入れるように構成するステップと、
入口ノズルを、前記飲料ヘッドが第２の位置にあるときに密封容器の外面に貫通させて前記入口ノズルの少なくとも一部分を密封容器の内容積部に接続させるように構成するステップと、
少なくとも第１の流体を密封容器の内容積部内の飲料媒体に前記入口ノズルを通して送出するステップと、
前記入口ノズルを密封容器の外面に貫通させて密封容器の内容積部に接続させている間、及び、前記飲料ヘッドが第２の位置にある時間の少なくとも一部分にわたって少なくとも第１の流体を密封容器の内容積部に送出しているとき、前記入口ノズルを飲料媒体に対して選択的に回転させるステップと、
前記シングルサーブ用飲料形成装置の作動中、少なくとも第１の流体の少なくとも一部分と、或る量の飲料媒体の少なくとも一部分とを含む少なくとも第２の流体を形成するステップと、
出口導管を飲料媒体の密封容器の内容積部に接続させるステップと、
第２の流体の少なくとも一部分を前記飲料ヘッドの外部の容器に前記出口導管を介して差し向けるステップと、を含む方法。
【請求項２５】
更に、前記入口ノズルを密封容器の外面に貫通させて密封容器の内容積部と接触させている間、前記入口ノズルを選択的に運動させるように構成するステップを含み、前記入口ノズルの選択的な運動は、選択的な振動運動及び選択的な傾斜運動のうちの少なくとも一方を含み、少なくとも第１の流体が密封容器の内容積部に前記少なくとも１つの流れポートを介して送出されている時間の少なくとも一部分にわたって起こる、請求項２４に記載の方法。
【請求項２６】
前記入口ノズルの選択的な回転は、１つよりも多い回転方向の回転を含む、請求項２４に記載の方法。
【請求項２７】
前記入口ノズルは、更に、密封容器の外面に接続された外側シャフトと、前記外側シャフトに対して回転する内側プラットフォームを含む、請求項２４に記載の方法。
【請求項２８】
前記入口ノズルは、更に、少なくとも１つの流れポートを含み、前記流れポートは、少なくとも１つの第２の流体の形成を支援するように構成される、請求項２４に記載の方法。
【請求項２９】
更に、前記入口ノズルを密封容器の外面に貫通させて、少なくとも第１の流体を密封容器の内容積部に送出している時間の少なくとも一部分にわたって密封容器の内容積部と接触させている間、前記入口ノズルの選択的な運動を変化させるように、コントローラを構成するステップを含む、請求項２４に記載の方法。
【請求項３０】
溶質抽出装置であって、
選択的にスラリーを収容するように構成された受け部と、
飲料ヘッドに接続された導管と、
前記受け部に接続された出口と、を有し、
前記導管は、スラリーが前記受け部内に収容されている間、少なくとも１つの溶媒をスラリーに選択的に送出するように構成され
前記出口は、少なくとも１つの溶媒の少なくとも一部分と、スラリーから抽出された少なくとも１つの溶質とを含む少なくとも１つの溶液を前記受け部の外部に送出するように構成され
前記導管は、更に、スラリーが前記受け部内に収容されている間、少なくとも１つの溶媒の送出又はその他によって、スラリーを撹拌するように構成される、溶質抽出装置。
【請求項３１】
前記導管は、更に、ノズルを含み、前記ノズルを選択的に運動させることによって、スラリーを少なくとも部分的に撹拌する、請求項３０に記載の溶質抽出装置。
【請求項３２】
前記ノズルの選択的な運動は、選択的な回転運動、選択的な振動運動、及び選択的な傾斜運動のうちの少なくとも１つを含み、少なくとも１つの溶媒がスラリーに送出されているときに起こるように構成される、請求項３１に記載の溶質抽出装置。
【請求項３３】
更に、前記導管に接続されたコントローラを有し、前記コントローラは、少なくとも１つの溶液に浸出される溶質の量、種類及び濃度のうちの少なくとも１つを制御するために、前記入口ノズルの選択的な運動を変化させるように構成される、請求項３１に記載の溶質抽出装置。
【請求項３４】
前記コントローラは、更に、スラリーの種類に少なくとも部分的に基づいて、選択的な運動、時間、及び選択的な運動の種類のうちの少なくとも１つを変化させるように、構成される、請求項３３に記載の溶質抽出装置。
【請求項３５】
装置であって、
飲料ヘッドを有し、
前記飲料ヘッドは、受け部と、前記受け部に接続された入口ノズルと、前記受け部に接続された出口導管と、前記入口ノズルに接続されたプロセッサを含み、
前記受け部は、前記飲料ヘッドが第１の位置にあるとき、或る量の飲料媒体を含むスラリーを前記飲料ヘッドの受け部内に選択的に受入れるように構成され、
前記入口ノズルは、前記飲料ヘッドが第２の位置にあるとき、少なくとも１つの溶媒をスラリーに送出するように構成され、それにより、前記装置の作動中、少なくとも１つの溶媒の少なくとも一部分と、スラリーの１つの溶質の少なくとも一部分を含む少なくとも１つの溶液が形成され、
前記受け部は、更に、少なくとも１つの溶媒が少なくとも１つの溶質を抽出するのを支援するために、スラリー及び少なくとも１つの溶媒を少なくとも第１の期間にわたって収容するように構成され、
前記出口導管は、少なくとも１つの溶液の少なくとも一部分を前記飲料ヘッドの外部の容器に差し向けるように構成され、
前記プロセッサは、前記入口ノズルがスラリーに近接している間、少なくとも１つの溶媒がスラリーに送出されている時間の少なくとも一部分にわたって、スラリーに対する前記入口ノズルの選択的な回転を制御する、装置。
【請求項３６】
前記受け部は、スラリーが飲料カートリッジ内に収容されているとき、スラリーを選択的に受入れるように構成される、請求項３５に記載の装置。
【請求項３７】
前記受け部は、前記飲料カートリッジと接触するように構成される、請求項３６に記載の装置。
【請求項３８】
前記受け部は、スラリーが密封飲料カートリッジ内に収容されているとき、スラリーを選択的に受入れるように構成される、請求項３７に記載の装置。
【請求項３９】
前記受け部は、スラリーがフィルタを含む密封飲料カートリッジ内に収容されているとき、スラリーを選択的に受入れるように構成される、請求項３８に記載の装置。
【請求項４０】
前記出口ノズルは、前記飲料ヘッドが第２の位置にあるとき、前記密封飲料カートリッジの内容積部と接触するように構成される、請求項３９に記載の装置。
【請求項４１】
前記入口ノズルは、前記飲料ヘッドが第２の位置にあるとき、前記密封飲料カートリッジの内容積部と接触するように構成される、請求項４０に記載の装置。
【請求項４２】
前記飲料ヘッドは、少なくとも第１の溶媒が送出されている時間の少なくとも一部分にわたって、前記密封飲料カートリッジを前記装置に対して実質的に静止しているように保持するように構成される、請求項４１に記載の装置。
【請求項４３】
前記プロセッサは、更に、前記入口ノズルが前記密封飲料カートリッジの内容積部に接続されている間、スラリーを撹拌するために、前記入口ノズルを運動させるように構成される、請求項４２に記載の装置。
【請求項４４】
前記プロセッサは、前記入口ノズルが前記密封飲料カートリッジの内容積部に接続されている間、前記入口ノズルを運動させるように構成され、前記入口ノズルの運動によってスラリーを撹拌させる、請求項４３に記載の装置。
【請求項４５】
前記入口ノズルは、更に、複数の流れポートを含む、請求項４４に記載の装置。
【請求項４６】
前記複数の流れポートは、スラリーの撹拌を支援するように前記入口ノズルの長さ方向にずれている、請求項４５に記載の装置。
【請求項４７】
前記プロセッサは、更に、前記入口ノズルの回転運動の速度を制御するように構成される、請求項４６に記載の装置。
【請求項４８】
前記プロセッサは、前記入口ノズルがスラリーに近接している時間の一部分にわたってのみ前記入口ノズルが回転運動するように、前記入口ノズルの回転運動の速度を制御するように構成される、請求項４７に記載の装置。
【請求項４９】
前記受け部は、挽いたコーヒー豆を含むスラリーを選択的に受入れるように構成される、請求項４８に記載の装置。
【請求項５０】
前記入口ノズルは、水を含む少なくとも１つの溶媒をスラリーに送出するように構成される、請求項４９に記載の装置。
【請求項５１】
前記受け部は、密封容器内に収容され且つ挽いたコーヒー豆を含むスラリーを選択的に受入れるように構成される、請求項５０に記載の装置。
【請求項５２】
前記飲料ヘッドは、挽いたコーヒー豆の少なくとも一部分を少なくとも１つの溶液から分離するように構成される、請求項５１に記載の装置。
【請求項５３】
前記入口ノズルは、高温水を含む少なくとも１つの溶媒をスラリーに送出するように構成される、請求項５２に記載の装置。
【請求項５４】
前記少なくとも１つの溶液は、コーヒーを含む、請求項５３に記載の装置。